(57)【特許請求の範囲】
【請求項１】
外枠と、その外枠に対して開閉可能に支持される本体と、その本体の裏面側に取り付けられた本体側部材とを備えた遊技機において、
前記本体側部材を覆うと共に、前記本体の裏面側に対して開閉可能に一端側が支持される第１カバー部材と、
前記本体の裏面側に取り付けられ、前記第１カバー部材の他端側を係止し、前記本体の裏面側に対して前記第１カバー部材を開閉不能にする係止部材と、
前記外枠から内側方向に向かって突出する板状の突出部材とを備え、
前記第１カバー部材の他端側には、その一部を貫通するカバー側貫通口が形成され、前記係止部材には、その一部を貫通する係止側貫通口が形成され、
前記第１カバー部材の他端側は、前記本体の裏面側に開閉不能に係止された状態で前記本体の裏面の縁部に位置すると共に、前記係止部材は、前記本体の裏面の縁部に取り付けられ、
前記本体の裏面側に対して前記第１カバー部材が前記係止部材により開閉不能に係止された状態では、前記カバー側貫通口と前記係止側貫通口とが並んで配置され、
前記外枠に対して前記本体が閉鎖された状態では、前記突出部材が前記第１カバー部材の他端側および前記係止部材が位置する前記本体の裏面の縁部に対向配置され、前記突出部材の突出方向における先端部分と前記カバー側貫通口または前記係止側貫通口との対向間距離が、前記突出部材の前記外枠から内側方向への突出寸法よりも小さいことを特徴とする遊技機。
【請求項２】
前記外枠に対して前記本体が閉鎖された状態において前記外枠の突出部材に対向する位置に設けられ、前記本体を前記外枠に対して施錠する施錠手段を備え、
前記施錠手段は、基体と、その基体に対してスライド動作するスライド部材と、そのスライド部材の第１方向への動作に連動して動作すると共にそのスライド部材に対して個別に前記第１方向にスライド動作する複数の突出片と、その複数の突出片と共に前記スライド部材を反第１方向へ付勢する付勢手段と、その付勢手段に反して前記スライド部材を前記第１方向へ動作させる動作手段とを有し、
前記外枠の突出部材は、前記付勢手段により前記反第１方向に付勢された複数の突出片とそれぞれ係止する複数の係止部を有しており、
前記施錠手段の複数の突出片が前記突出部材の係止部に係止した状態で前記外枠に対して前記本体が閉鎖されると共に、前記施錠手段の複数の突出片の全てについて前記突出部材の係止部との係止が解除された状態で前記外枠に対して前記本体が開放可能に構成されることを特徴とする請求項１記載の遊技機。
【請求項３】
前記本体の裏面側に前記係止部材により係止された第１カバー部材の一部を覆った状態で、前記本体の裏面側に取り付けられる第２カバー部材を備えていることを特徴とする請求項１又は２に記載の遊技機。
【発明の詳細な説明】
【技術分野】
【０００１】
本発明は、パチンコ機等に代表される遊技機に関するものである。
【背景技術】
【０００２】
従来から一般的なパチンコ機は、外枠と、その外枠に対して開閉可能に支持される内枠と、その内枠に取り付けられる遊技盤と、その遊技盤の裏面に取り付けられる複数の部品とを有している。また、複数の部品は、外部からの衝撃などによる破損を抑えることを目的の１つとして、カバーにより覆われた状態で遊技盤の裏面に取り付けられる。また、複数の部品の１つは、遊技の主たる制御を行う主制御装置であり、その主制御装置において、多くの遊技球が払い出される大当たりの抽選や、遊技球の払い出しの指示などの処理が行われる。
【特許文献１】特開平９−２０６４４９号公報
【発明の開示】
【発明が解決しようとする課題】
【０００３】
ところで、主制御装置は、遊技者に対して多くの遊技球を払い出す大当たりの抽選を行うので、その主制御装置が正規のものとは異なる不正な主制御装置に交換され、その不正な主制御手段により多くの遊技球が払い出されてしまうと、予め定めた遊技球の払い出しの設定値とは異なる値となってしまい好ましくないという問題点があった。
【０００４】
また、遊技盤の裏面に取り付けられた複数の部品は、外部からの衝撃などによる破損を抑えることを目的の１つとしてカバーにより覆われているだけなので、複数の部品を不正な部品に交換する場合には、その不正行為の妨げにはならず、不正行為を抑制することができないという問題点があった。
【０００５】
本発明は、上記例示した問題点などを解決するためになされたものであり、本体の裏面側に取り付けられた本体側部材が不正なものに交換されることを抑制することができる遊技機を提供することを目的としている。
【課題を解決するための手段】
【０００６】
この目的を達成するために請求項１記載の遊技機は、外枠と、その外枠に対して開閉可能に支持される本体と、その本体の裏面側に取り付けられた本体側部材とを備えた遊技機において、前記本体側部材を覆うと共に、前記本体の裏面側に対して開閉可能に一端側が支持される第１カバー部材と、前記本体の裏面側に取り付けられ、前記第１カバー部材の他端側を係止し、前記本体の裏面側に対して前記第１カバー部材を開閉不能にする係止部材と、前記外枠から内側方向に向かって突出する板状の突出部材とを備え、前記第１カバー部材の他端側には、その一部を貫通するカバー側貫通口が形成され、前記係止部材には、その一部を貫通する係止側貫通口が形成され、前記第１カバー部材の他端側は、前記本体の裏面側に開閉不能に係止された状態で前記本体の裏面の縁部に位置すると共に、前記係止部材は、前記本体の裏面の縁部に取り付けられ、前記本体の裏面側に対して前記第１カバー部材が前記係止部材により開閉不能に係止された状態では、前記カバー側貫通口と前記係止側貫通口とが並んで配置され、前記外枠に対して前記本体が閉鎖された状態では、前記突出部材が前記第１カバー部材の他端側および前記係止部材が位置する前記本体の裏面の縁部に対向配置され、前記突出部材の突出方向における先端部分と前記カバー側貫通口または前記係止側貫通口との対向間距離が、前記突出部材の前記外枠から内側方向への突出寸法よりも小さい。
【０００８】
請求項２記載の遊技機は、請求項１記載の遊技機において、前記外枠に対して前記本体が閉鎖された状態において前記外枠の突出部材に対向する位置に設けられ、前記本体を前記外枠に対して施錠する施錠手段を備え、前記施錠手段は、基体と、その基体に対してスライド動作するスライド部材と、そのスライド部材の第１方向への動作に連動して動作すると共にそのスライド部材に対して個別に前記第１方向にスライド動作する複数の突出片と、その複数の突出片と共に前記スライド部材を反第１方向へ付勢する付勢手段と、その付勢手段に反して前記スライド部材を前記第１方向へ動作させる動作手段とを有し、前記外枠の突出部材は、前記付勢手段により前記反第１方向に付勢された複数の突出片とそれぞれ係止する複数の係止部を有しており、前記施錠手段の複数の突出片が前記突出部材の係止部に係止した状態で前記外枠に対して前記本体が閉鎖されると共に、前記施錠手段の複数の突出片の全てについて前記突出部材の係止部との係止が解除された状態で前記外枠に対して前記本体が開放可能に構成される。
【０００９】
請求項３記載の遊技機は、請求項１又は２に記載の遊技機において、前記本体の裏面側に前記係止部材により係止された第１カバー部材の一部を覆った状態で、前記本体の裏面側に取り付けられる第２カバー部材を備えている。
【発明の効果】
【００１０】
請求項１記載の遊技機によれば、外枠に対して本体が開閉可能に支持されており、その本体の裏面側に本体側部材が取り付けられ、その本体側部材は、本体の裏面側に対して開閉可能に一端側が支持されたカバー部材により覆われる。カバー部材は、係止部材により他端側が係止されて本体の裏面側に対して開閉不能にされる。そして、本体の裏面側に対して第１カバー部材が係止部材により開閉不能に係止された状態になると、カバー部材の一部を貫通するカバー側貫通口と、係止部材の一部を貫通する係止側貫通口とが並んで配置される。よって、第１カバー部材が係止部材により開閉不能に係止された状態でカバー側貫通口と係止側貫通口とが並んで配置されるので、例えば、紐やバンドなどをカバー側貫通口および係止側貫通口に通して第１カバー部材と係止部材とを結束することできる。
【００１１】
ここで、不正行為者が、正規の本体側部材を不正な本体側部材に交換する不正行為を行う場合には、不正な本体側部材に交換したことをホール関係者に知られないために、不正な本体側部材に交換する作業を早期に終了させる。そのため、不正な本体側部材に交換する作業が多い又は困難なほど、不正行為者による不正行為を抑制することができる。
【００１２】
請求項１記載の遊技機によれば、紐やバンドなどをカバー側貫通口および係止側貫通口に通して第１カバー部材と係止部材とを結束できるので、第１カバー部材と係止部材との係止状態を解除するためには、紐やバンドを切断する作業が必要となる。その結果、本体側部材を交換する場合の作業が増えるので、第１カバー部材により覆われた本体側部材が不正な本体側部材に交換されることを抑制することができるという効果がある。
【００１３】
また、第１カバー部材の他端側は、本体の裏面側にカバー部材が開閉不能に係止された状態で本体の裏面の縁部に位置し、係止部材は、本体の裏面の縁部に取り付けられる。また、外枠から内側に向かって突出する板状に形成された突出部材は、外枠に対して本体が閉鎖された状態で第１カバー部材の他端側および係止部材が位置する本体の裏面の縁部に対向配置される。よって、第１カバー部材の他端側および係止部材に対向して突出部材が配置されるので、外枠に対して本体が閉鎖された状態では突出部材を破壊などしないと、本体に対して第１カバー部材を開放することが困難となる。従って、外枠に対して本体が閉鎖された状態での第１カバー部材の開放が困難となるので、第１カバー部材により覆われた本体側部材が不正な本体側部材に交換されることを抑制することができるという効果がある。
【００１４】
請求項２記載の遊技機によれば、請求項１記載の遊技機の奏する効果に加え、外枠に対して本体が閉鎖された状態において外枠の突出部材に対向する位置に施錠手段が設けられ、その施錠手段により本体が外枠に対して施錠される。施錠手段は、基体に対してスライド動作するスライド部材が付勢手段により反第１方向に付勢された状態で、スライド動作に連動して第１方向に動作する突出片と突出部材の係止部とが係止されると、外枠に対して本体を施錠する。一方、動作手段によりスライド部材が反第１方向に動作させられた状態で、複数の突出片と係止部との係止が解除されると、外枠に対する本体の施錠が解除され開放可能になる。また、複数の突出片は、スライド部材に対して個別に第１方向にスライド動作するので、１の突出片を第１方向に動作させたとしても、複数の突出片の全てが第１方向に動作することはない。
【００１５】
例えば、外枠と本体との隙間から細板状の部材などを差し込んで、１の突出片を不正に第１方向へ移動させるなどの不正行為が行われても、複数の突出片の全てを第１方向に移動させないと本体を外枠に対して開放できないので、不正行為によって本体が外枠に対して開放されることを困難にできる。その結果、外枠に対して本体が不正に開放される行為自体を抑制できるので、第１カバー部材により覆われた本体側部材が不正な本体側部材に交換されることを抑制することができるという効果がある。
【００１６】
請求項３記載の遊技機によれば、請求項１又は２に記載の遊技機の奏する効果に加え、本体の裏面側に係止手段により係止された第１カバー部材の一部を覆った状態で、本体の裏面側に第２カバー部材が取り付けられるので、第１カバー部材を開放するためには、第２カバー部材を開放しなければならない。その結果、第１カバー部材を開放するための作業が増えるので、第１カバー部材により覆われた本体側部材が不正な本体側部材に交換されることを抑制することができるという効果がある。
【発明を実施するための最良の形態】
【００１７】
以下、パチンコ遊技機（以下、単に「パチンコ機」という）の一実施形態を、図面に基づいて説明する。図１は、パチンコ機１０の外観を示した斜視図である。
【００１８】
図１に示すように、パチンコ機１０は、略矩形状に組み合わされて外殻が形成される外枠１１と、その外枠１１と略同一の外形形状に形成され外枠１１に対して開閉可能に支持される内枠１２とを有して構成されている。
【００１９】
パチンコ機１０の正面視（図１の矢印Ａ方向視）左側の上下２カ所には、外枠１１に対して内枠１２を開閉可能に支持するヒンジ１３が設けられており、そのヒンジ１３が設けられた側を開閉の軸として内枠１２が正面手前側へ開放される。
【００２０】
内枠１２の前面（正面）側には、その前面を覆う前面枠１４が設けられ、内枠１２の裏面側には、多数の釘や入賞口６３，６４等を有する遊技盤１６（図１０参照）が着脱可能に装着される。前面枠１４は、パチンコ機１０の正面視左側の上下２カ所に設けられたヒンジ１５により、内枠１２に対して開閉可能に支持され、ヒンジ１５が設けられた側を開閉の軸として正面手前側へ開放される。なお、内枠１２の施錠と前面枠１４の施錠とは、シリンダ錠６２の鍵穴（図示せず）に専用の鍵を差し込んで所定の操作を行うことによりそれぞれ解除される。
【００２１】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１７が配設され、そのガラスユニット１７を介して遊技盤１６がパチンコ機１０の正面側に視認可能となっている。
【００２２】
前面枠１４には、球を貯留する上皿１８が前方へ張り出して上面を開放した略箱状に形成されており、この上皿１８に賞球や貸出球などが排出される。上皿１８の底面は正面視右側に下降傾斜して形成され、その傾斜により上皿１８に投入された球が、遊技盤１６の前面領域に球を発射する球発射ユニット１１２ａ（図１１参照）へと案内される。
【００２３】
また、上皿１８の下方には、枠ボタン１９が設けられている。この枠ボタン１９は、例えば、第３図柄表示装置８１（図１１参照）で表示される変動表示の演出パターンを変更したり、リーチ演出時の演出内容を変更したりする場合などに、遊技者により操作されるボタンである。
【００２４】
加えて、前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、発光ダイオード（ＬＥＤ）等の発光手段を内蔵した電飾部２９〜３１が設けられている。パチンコ機１０においては、これら電飾部２９〜３１が大当たりランプ等の演出ランプとして機能し、大当たり時やリーチ演出時等には内蔵するＬＥＤの点灯や点滅によって各電飾部２９〜３１が点灯または点滅して、大当たり中である旨、或いは大当たり一歩手前のリーチ中である旨が報知される。また、前面枠１４の正面視右中段部には、ＬＥＤ等の発光手段が内蔵され賞球の払い出し中とエラー発生時とを表示可能な表示ランプ３２が設けられている。
【００２５】
なお、本実施形態では、電飾部２９〜３１及び表示ランプ３２に使用される発光手段として、複数の３色ＬＥＤやフルカラーＬＥＤを採用し、電飾部２９〜３１及び表示ランプ３２がフルカラーでの発色（発光）が可能に構成されている。
【００２６】
また、電飾部３０と電飾部３１との間には、発光手段である複数のＬＥＤ３７ａ（図示せず）が設けられた第１図柄表示装置３７が配設されている。第１図柄表示装置３７は、主制御装置１１０（図１１参照）で行われる各制御に応じた表示がなされるものであり、主にパチンコ機１０の遊技状態の表示が行われる。複数のＬＥＤ３７ａは、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すものである。なお、ＬＥＤ３７ａは、それぞれのＬＥＤの発光色（例えば、赤、緑、青）が異なるよう構成され、その発光色の組合わせにより、少ないＬＥＤでパチンコ機１０の各種遊技状態を示唆することができる。
【００２７】
ここで、上述したパチンコ機１０が確変中とは、大当たり確率がアップして特別遊技状態へ移行し易い遊技の状態である。さらに、本実施形態における確変中は、第２図柄の当たり確率がアップして第１入球口６４（図１０参照）へ球が入球し易い遊技の状態である。また、パチンコ機１０が時短中とは、大当たり確率がそのままで第２図柄の当たり確率のみがアップして第１入球口６４へ球が入球し易い遊技の状態である。また、パチンコ機１０が通常中とは、確変中でも時短中でもない遊技の状態（大当たり確率も第２図柄の当たり確率もアップしていない状態）である。なお、パチンコ機１０の遊技状態に応じて、第１入球口６４に付随する電動役物（図示せず）が開放する時間や、１回の当たりで電動役物が開放する回数を変更するものとしても良い。
【００２８】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット、図示せず）に紙幣やカード等を投入した状態で貸球操作部４０が操作されると、その操作に応じて球の貸出が行われる。
【００２９】
具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１８に供給される。返却ボタン４３は、カードユニットに挿入されたカード等の返却を求める際に操作される。
【００３０】
上皿１８の下側には、その中央部に上皿１８に貯留しきれなかった球を貯留するための下皿２１が上面を開放した略箱状に形成されている。下皿２１の右側には、球を遊技盤１６の前面へ打ち込むために遊技者によって操作される操作ハンドル２２が配設され、かかる操作ハンドル２２の内部には球発射ユニット１１２ａの駆動を許可するためのタッチセンサ（図示せず）と、操作ハンドル２２の回動操作量を電気抵抗の変化により検出する可変抵抗器（図示せず）とが内蔵されている。
【００３１】
操作ハンドル２２が遊技者によって右回りに回転操作されると、タッチセンサがオンされると共に可変抵抗器の抵抗値が操作量に対応して変化し、操作ハンドル２２の回動操作量に応じて変化する可変抵抗器の抵抗値に対応した強さで球が発射され、これにより遊技者の操作に対応した飛び量で遊技盤１６の前面へ球が打ち込まれる。
【００３２】
下皿２１の正面下方部には、下皿２１に貯留された球を下方へ排出する際に操作するための球抜きレバー２３が設けられている。この球抜きレバー２３は、常時、右方向に付勢されており、その付勢に抗して左方向へスライドさせることにより、下皿２１の底面に形成された底面口が開口して、その底面口から球が自然落下して排出される。かかる球抜きレバー２３の操作は、通常、下皿２１の下方に下皿２１から排出された球を受け取る箱（一般に「千両箱」と称される）を置いた状態で行われる。
【００３３】
次に、図２から図４を参照して、外枠１１、内枠１２及び前面枠１４について詳細に説明する。図２は、外枠１１に対して内枠１２が開放された状態、及び、内枠１２に対して前面枠１４が開放された状態を示した斜視図である。図３は、施錠ユニット６０を示した斜視図である。図３は、外枠１１の斜視図である。
【００３４】
まず、図２を参照して、内枠１２及び前面枠１４について説明する。図２に示すように、内枠１２は、矩形状に形成されたＡＢＳ樹脂製の内枠ベース４０を主体に構成されており、内枠ベース４０の中央部には、略円形状の中央窓４０ａが形成されている。内枠ベース４０の裏面側には、遊技盤１６（図１０参照）の取付部が設けられ、遊技盤１６が着脱可能に装着される。
【００３５】
内枠１２は、前述した上ヒンジ１３，１３により、外枠１１に対して回動可能に支持された扉状の部材である。内枠１２の開閉軸線は、ヒンジ１３，１３が設けられるパチンコ機１０の正面視左側に上下に延設され、この開閉軸線を軸心にして内枠１２はパチンコ機１０の正面手前側に開放される。
【００３６】
内枠１２の外周には、前面側へ突設された外周壁４０ｂが形成されており、その外周壁４０ｂの内側に前面枠１４が配設される。即ち、内枠１２に前面枠１４が取り付けられた状態では、前面枠１４の各側面の外周は、内枠１２の外周壁４０ｂにより囲繞される。このため、前面枠１４と内枠１２との間へ針金や薄板状の工具等を挿入する行為が困難となり、不正行為を抑制することができる。
【００３７】
内枠１２の正面視左上には、配線口４０ｃが内枠ベース４０を貫通して設けられている。配線口４０ｃには、前面枠１４の電飾等に使用する部品の配線が内枠１２の裏面側に挿通され、遊技盤１６の裏面に接続される。
【００３８】
なお、図示しないが、内枠１２には、パチンコ機１０の前面側に円柱状に突出した押しボタン型の開閉スイッチが設けられ、前面枠１４の開閉状態が検出される。この開閉スイッチは、主制御装置１１０（図１１参照）に接続され、前面枠１４の開閉状態に応じて処理が行われる。例えば、前面枠１４が開放された場合に、電飾部２９〜３１を点灯させる処理などである。
【００３９】
内枠ベース４０の中央窓４０ａの下側には、平面状の取付面４０ｄが形成されており、この取付面４０ｄに、球を遊技盤１６の前面に発射するための球発射ユニット１１２ａ（図１１参照）等が取り付けられる。また、内枠ベース４０の中央窓４０ａの左側下方には、払出ユニット９３（図５参照）から払い出された球を上皿１８へ供給するための供給路４０ｅが形成されている。
【００４０】
内枠ベース４０の正面視右側部には、後述する前面枠鉤部１４ａが挿通する内枠貫通口４０ｆが上下方向に３つ形成されている。また、下方の内枠貫通口４０ｆと中段の内枠貫通口４０ｆとの間には、施錠ユニット６０のシリンダ錠６２を正面側に突出させる開口４０ｇが形成されている。
【００４１】
前面枠１４は、矩形状に形成されたＡＢＳ樹脂製の前面枠ベース５０を主体に構成されており、前面枠ベース５０の中央部には遊技領域のほとんどを外部から視認することができるよう略楕円形状に開口形成された窓部１４ｃが設けられている。
【００４２】
前面枠１４の裏面側の上部左右には、音声出力装置２２６の１つであるスピーカ５１が取り付けられている。このスピーカ５１は、音声ランプ制御装置１１３（図１１参照）により制御され、遊技状態の応じた音声出力を行ったり、エラーの報知等を行うものである。
【００４３】
前面枠１４の裏面側の窓部１４ｃの右下側には、内枠ベース４０に設けられた供給路４０ｅから払い出された球を、上皿１８に導くための受け皿５２が形成されている。この受け皿５２を介して、払出ユニット９３から払い出された球が上皿１８に供給される。
【００４４】
受け皿５２の隣には、上皿１８および下皿２１に球を排出する通路を形成する通路形成部材５３が設けられている。通路形成部材５３は、上皿１８が満タンのときに球を下皿２１へ排出するための下皿排出通路（図示せず）と、ファール球を下皿２１へ排出するためのファール球通路（図示せず）とを形成するための部材である。ここで、ファール球とは、発射時の打ち出し力（発射力）が弱くて戻り球防止部材６８（図１０参照）が位置する遊技領域の入口に到達せずに発射レール６１，６２（図１０参照）側へ戻った球を意味している。
【００４５】
排出通路の途中には、各スイッチ２０８の１つとして、下皿２１が球で満タンとなっていることを検出するための満タンセンサ（図示せず）が設けられている。なお、排出通路の満タンが満タンセンサにより検出されると、「球を抜いて下さい」等のエラーメッセージが第３図柄表示装置８１（図１１参照）に表示されたり、スピーカ５１から音声出力される。
【００４６】
前面枠１４の裏面側の左側には、前面枠１４の背面側に突出して鉤状に形成された３つの前面枠鉤部１４ａが一体的に形成されている。この前面枠鉤部１４ａが内枠１２の内枠貫通口４０ｆを挿通し、内枠１２の裏面側に設けられる施錠ユニット６０により施錠されて、前面枠１４が内枠１２に対して閉鎖される。また、下方の前面枠鉤部１４ａと中段の前面枠鉤部１４ａとの間には、シリンダ錠６２を前面枠１４の前面に露出させる開口１４ｂが形成されている。
【００４７】
前面枠１４の裏面側の窓部１４ｃの左側下方には、球出口５４が設けられている。この球出口５４は、上皿１８の最下流部に設けられ、前面枠１４の閉鎖時に上皿１８の球を球発射ユニット１１２ａに導く導入口である。
【００４８】
ここで、図３を参照して、前面枠１４を内枠１２に施錠すると共に、内枠１２を外枠１１に施錠する施錠ユニット６０について説明する。なお、施錠状態の内枠１２は、シリンダ錠６２に対して専用鍵による所定の解錠操作（本実施形態では右回転操作）が行われることにより解錠され、開放可能な状態となる。また、施錠状態の前面枠１４は、シリンダ錠６２に対して専用鍵による所定の解錠操作（本実施形態では左回転操作）が行われることにより解錠され、開放可能な状態となる。
【００４９】
図３に示すように、施錠ユニット６０は、内枠１２の裏面側に取り付けられる基体６１と、その基体６１の下方に取り付けられるシリンダ錠６２と、そのシリンダ錠６２に対する施錠または解錠操作に連動して回転動作する可動片６２ａと、その可動片６２ａの回転動作に連動して基体６１に対して上下方向にスライド動作するスライド板６３と、そのスライド板６３に対して個別に上下方向にスライド動作する一対の突出片６４と、スライド板６３及び基体６１のそれぞれに対して上下方向にスライド動作し前面枠１４を開放する３つの開放部材６５と、スライド板６３及び突出片６４を共に下方に付勢するバネ６６と、開放部材６５を上方へ付勢するバネ６７と、可動片６２ａを覆う施錠カバー６８とを有して構成されている。
【００５０】
基体６１は、内枠１２への取り付け面となる取付板６１ａと、その取付板６１ａに対して略直角に連接される側板６１ｂとにより断面視略Ｌ字状に形成されている。基体６１の取付板６１ａには、前面枠鉤部１４ａ（図２参照）が侵入する３つの施錠貫通口６１ｃ（図示せず）が形成されている。
【００５１】
開放部材６５は、基体６１の取付板６１ａ及び側板６１ｂに対して上下方向へのスライド動作可能に断面視略Ｌ字状に形成され、そのＬ字状の各板状部材が取付板６１ａ及び側板６１ｂにそれぞれ対向するように配設される。開放部材６５には、施錠貫通口６１ａに対応した大きさで且つ対応した位置に開放部材貫通口６５ａが形成されている。なお、開放部材６５は、施錠貫通口６１ａに対して上方へ若干移動した位置に開放部材貫通口６５ａが位置するようにスライド板６３に配設される。
【００５２】
スライド板６３は、略平板状に形成されており、基体６１の側板６１ｂに対して上下方向へのスライド動作可能に配設される。そして、略Ｕ字状に形成された可動片６２ａの両先端に嵌合する嵌合穴６３ａが形成されている。スライド板６３は、嵌合穴６３ａに可動片６２ａの両先端が嵌合されることで、可動片６２ａの回転動作に連動して、上下方向へスライド動作する。
【００５３】
突出片６４は、スライド板６３に対して上下方向へのスライド動作可能に配設されており、基体６１の取付板６１ａから離反する方向へ突出している。また、突出片６４には、その突出先端部に、後述する外枠カバー１１ｅの外枠係止部１１ｆ（図４参照）に係止される突出片係止部６４ａが形成されている。
【００５４】
前面枠１４が内枠１２に対して閉鎖された状態になると、前面枠１４の前面枠鉤部１４ａが、内枠１２の内枠貫通口４０ｆ、基体６１の施錠貫通口６１ｃ及び開放部材貫通口６５ａを挿通し、前面枠鉤部１４ａの先端が開放部材貫通口６５ａの下側面に引っ掛かる。この開放部材貫通口６５ａと前面枠鉤部１４ａとの係止状態により前面枠１４が内枠１２に対して閉鎖される。
【００５５】
一方、前面枠１４が内枠１２に対して閉鎖された状態で、シリンダ錠６２に対して専用鍵を左回転操作すると、可動片６２ａも左回転動作し、スライド板６３が基体６１に対して下方向へスライド動作する。このスライド板６３の下方向へのスライド動作に連動して開放部材６５が下方向へ移動する。この際、開放部材貫通口６５ａの下側面と前面枠鉤部１４ａとの係止が解除されると共に、開放部材貫通口６５ａの上側面により前面枠鉤部１４ａがパチンコ機１０の正面側に押し出され、前面枠１４が内枠１２に対して開放される。
【００５６】
なお、シリンダ錠６２に対して専用鍵を左回転操作した場合には、開放部材６５は基体６１に対して下方向へ移動するが、突出片６４はスライド板６３に対してスライド動作可能に設けられているので移動しない。よって、シリンダ錠６２に対して専用鍵を左回転操作した場合には、内枠１２は外枠１１に対して開放されずに前面枠１４のみが内枠１２に対して開放される。
【００５７】
また、内枠１２が外枠１１に対して閉鎖された状態になると、突出片６４の突出片係止部６４ａと、外枠カバー１１ｅの外枠係止部１１ｆとが係止される。突出片６４は、バネ６７により下方向へ付勢されているので、外枠係止部１１ｆと係止した状態が保持され、内枠１２が外枠１１に対して閉鎖される。
【００５８】
一方、内枠１２が外枠１１に対して閉鎖された状態で、シリンダ錠６２に対して専用鍵を右回転操作すると、可動片６２ａも右回転動作し、スライド板６３が基体６１に対して上方向へスライド動作する。このスライド板６３の上方向へのスライド動作に連動して突出片６４が上方向へ移動し、突出片係止部６４ａと外枠係止部１１ｆとの係止状態が解除され、内枠１２が外枠１１に対して開放可能な状態となる。操作者は、内枠１２をパチンコ機１０の正面手前側に引くことで、内枠１２を外枠１１に対して開放することができる。
【００５９】
なお、シリンダ錠６２に対して専用鍵を右回転操作した場合には、突出片６４は基体６１に対して上方向へ移動するが、開放部材６５はスライド板６３に対してスライド動作可能に設けられているので移動しない。よって、シリンダ錠６２に対して専用鍵を右回転操作した場合には、前面枠１４は内枠１２に対して開放されずに内枠１２のみが外枠１１に対して開放される。
【００６０】
次に、図４を参照して、外枠１１について説明する。図４に示すように、外枠１１は、板材により上下左右の四辺を構成して、全体として矩形状に形成されている。板材は、上述したヒンジ１３が取り付けられる天井板１１ａと、同様にヒンジ１３が取り付けられる底板１１ｂと、その底板１１ｂと天井板１１ａとを連結する側板１１ｃ，１１ｄとで構成されている。側板１１ｃ、１１ｄは、パチンコ機１０の正面視において、左側が側板１１ｃであり、右側が側板１１ｄである。
【００６１】
また、本実施形態では、天井板１１ａ及び底板１１ｂが木製であり、側板１１ｃ，１１ｄがアルミ製である。よって、側板１１ｃ，右側板１１ｄをアルミ製にすることで、外枠１１の強度を高めることができる。また、側板１１ｃ、１１ｄが不正に破壊させることを抑制できるので、外枠１１を破壊して内枠１２を開放するなどの不正行為の発生を抑制することができる。なお、天井板１１ａ、底板１１ｂ及び側板１１ｃ、１１ｄの材質は、特に限定せずに、如何なる材質で構成しても良い。
【００６２】
側板１１ｄは、内枠１２が外枠１１に対して閉鎖された状態で、施錠ユニット６０が設けられた側に位置する側板であり、その側板の正面側には、外枠カバー１１ｅが設けられている。外枠カバー１１ｅは、側板１１ｄから外枠１１の内側方向に突出すると共に、側板１１ｄの上下方向の全域に亘って形成されている。また、外枠カバー１１ｅの内側（施錠ユニット６０に対向する面側）には、施錠ユニット６０の突出片６４の突出片係止部６４ａと係止する外枠係止部１１ｆが設けられている。外枠係止部１１ｆは、施錠ユニット６０に対向する面に、突出片係止部６４ａが侵入する開口を有する略箱形状に形成されている。
【００６３】
ここで、パチンコ機に対しては、薄板状の工具等を部材間の隙間から差し入れて行う不正行為が報告されているが、本実施形態のパチンコ機１０においては、外枠１１の外側から工具等を差し入れて突出片係止部６４ａと外枠係止部１１ｆとの係止状態を不正に解除する行為を、外枠カバー１１ｅと略箱状に形成された外枠係止部１１ｆとにより阻止できるので、不正行為の発生を抑制することができる。
【００６４】
次に、図５及び図６を参照して、パチンコ機１０の背面側について説明する。図５は、パチンコ機１０の背面側を示した図であり、図６は、制御基板ユニット９０，９１及び裏パックユニット９４を分解した状態の斜視図である。
【００６５】
図５に示すように、パチンコ機１０の背面側には、制御基板ユニット９０，９１と、裏パックユニット９４とが主に配設されている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６が搭載されてユニット化されている。裏パックユニット９４は、保護カバー部を形成する裏パック９２と払出ユニット９３とがユニット化されている。
【００６６】
また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６７】
なお、主制御装置１１０、音声ランプ制御装置１１３及び表示制御装置１１４、払出制御装置１１１、発射制御装置１１２及び電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６８】
図５に示すように、基板ボックス１００，１０１は、裏パック９２により覆われた状態となっている。基板ボックス１０１は、その全体が裏パック９２により覆われており、基板ボックス１００は、裏面視において左側端部と上部とが裏パック９２により覆われている。基板ボックス１００のパチンコ機１０の背面側への固着は、その裏パック９２により覆われた左側端部と上部とによってなされているので、基板ボックス１００の一部が露出した状態であっても、基板ボックス１００の取り外しはできないように構成されている。
【００６９】
また、基板ボックス１００（主制御装置１１０）及び基板ボックス１０２（払出制御装置１１１）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００７０】
また、裏パック９２により覆われた基板ボックス１００は、遊技盤１６の裏面側に取り付けられた状態で、その上部に、他の制御装置やセンサ、ソレノイドなどとの間を電気的に接続するコネクタの接続部が設けられている。この接続部が裏パック９２により覆われているので、裏パック９２を遊技盤１６の裏面側に対して開放しないと、接続部のコネクタを外して基板ボックス１００（主制御装置１１０）を取り外すことができないように構成されている。
【００７１】
また、裏パック９２により覆われた基板ボックス１００は、遊技盤１６の裏面側に取り付けられた状態で、裏面視左側部に、前述したかしめ構造により基板ボックス１００を開封不能に連結する連結部が設けられている。この連結部が裏パック９２により覆われているので、裏パック９２を遊技盤１６の裏面側に対して開放しないと、連結部の連結を解除できないように構成されている。
【００７２】
なお、裏パック９２により覆われた基板ボックス１００は、遊技盤１６の裏面側に取り付けられた状態で、裏面視右側部に識別シール１００ａが貼着されている。この識別シール１００ａは、裏パック９２により覆われておらず、遊技盤１６の裏面に露出している。識別シール１００ａは、固有の情報を有するＩＣチップが埋め込まれており、そのＩＣチップは、図示しない読取装置から電波が送信されると、ＩＣチップが有する固有の情報を読取装置に対して送信するように構成されている。そのため、識別シール１００ａは、遊技盤１６の裏面側に露出して貼着されている。
【００７３】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図１１参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７４】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７５】
図６に示すように、裏パックユニット９４は、制御ユニット９０（図５参照）を覆う裏パック９２の裏面視（図６矢印Ｂ方向視）において上部および右側部に、略Ｌ字状の外形状となる払出ユニット９３が取り付けられる。裏パック９２の下方には、裏面視における左右方向に延びる裏パック支持棒９２ａが設けられており、裏面視における左下端部には、さらに下方へ突出する裏パック突出部９２ｂが設けられている。また、裏パック９２の裏面視の左上端部には、後述する固定金具７０により係止される裏パック係止部９２ｃが設けられている。
【００７６】
制御ユニット９１は、取付ベース９１ａに取り付けられた状態で、遊技盤１６（図１０参照）の裏面側に配設される。そして、取付ベース９１ａの裏面視における上部には、裏パック支持棒９２ａに支持されるベース支持部９１ｂが設けられている。また、取付ベース９１ａは、裏面視における右側端部が図示しないヒンジによって遊技盤１６の裏面側に対して開閉可能に構成されている。よって、取付ベース９１ａに制御ユニット９１が取り付けられた状態で、制御ユニット９１が遊技盤１６の裏面側（パチンコ機１０の背面側）に対して開閉動作する。
【００７７】
また、制御ユニット９１には、裏面視における左上端部に、取付ベース９１ａを遊技盤１６の裏面側に対して閉鎖した状態で、裏パック９２の裏パック突出部９２ｂを覆うユニットカバー部９１ｃが形成されている。よって、図５に示すように、制御ユニット９０，９１及び裏パックユニット９４が遊技盤１６の裏面側に配設された状態では、裏パック９２の裏パック突出部９２ｂが制御ユニット９１のユニットカバー部９１ｃにより覆われた状態となる。
【００７８】
ここで、不正行為者が、正規の基板ボックス１００（又は主制御装置１１０）を不正な基板ボックス（又は主制御装置）に交換する不正行為を行う場合には、不正な基板ボックス（又は主制御装置）に交換したことをホール関係者に知られないために、不正な基板ボックス（又は主制御装置）に交換する作業を早期に終了させる。そのため、不正な基板ボックス（又は主制御装置）に交換する作業が多い又は困難なほど、不正行為者による不正行為を抑制することができる。
【００７９】
本実施形態では、修理や点検などのために基板ボックス１００を取り外す場合には、制御ユニット９１を遊技盤１６の裏面側に対して開放し、その後、裏パック９２を遊技盤１６の裏面側に対して開放した後でないと不可能となる。よって、主制御装置１１０が被包された基板ボックス１００を取り外し作業行程が多くなるので、不正行為者による不正行為の発生を抑制することができる。
【００８０】
次に、図７から図９を参照して、裏パック９２と固定金具７０とについて説明する。図７は、固定金具７０の動作変化を示した斜視図であり、図７（ａ）は、固定金具７０が開放された状態を示しており、図７（ｂ）は、固定金具７０が閉鎖された状態を示している。図８は、裏パック９２の裏パック係止部９２ｃを拡大して示した斜視図である。図９は、裏パック９２が固定金具７０により係止された状態を示した斜視図である。
【００８１】
図７（ａ）に示すように、内枠１２の裏面視の左上部には、裏パック９２を遊技盤１６の裏面側に固定（係止）する固定金具７０が取り付けられている。この固定金具７０は、内枠１２から裏パック９２側に突出し外周にネジ溝が形成されたネジ７１に緩挿され、バネ７２により内枠１２側に付勢されており、ネジ７１の突出先端にナット７３が螺着されている。よって、固定金具７０は、内枠１２側に付勢された状態で旋回可能に構成され、ネジ７１から抜け落ちることが防止されている。なお、内枠１２の裏面側には、裏パック９２の位置決めを行う凹部１２ａが形成されている。
【００８２】
固定金具７０は、操作者が操作する操作部７０ａと、その操作部７０ａに対して直角に連接された連接部７０ｂと、その連接部７０ｂに連接されバネ８２の付勢力を受け止める受け部７０ｃと、連接部７０ｂから反操作部７０ａ方向に突出し裏パック９２を係止する固定係止部７０ｄと、操作部７０ａの表裏を貫通する固定貫通口７０ｅとを有して構成されている。
【００８３】
図７（ａ）に示した状態が、固定金具７０の開放姿勢であり、固定係止部７０ｄの先端が内枠１２の裏面の縁面１２ｂより外方向に位置している。一方、図７（ｂ）に示した状態が、固定金具７０の係止姿勢であり、固定係止部７０ｄが内枠１２の裏面の縁面１２ｂより内側に位置している。なお、固定金具７０が係止姿勢にあると、その固定金具７０の操作部７０ａは、内枠１２の縁面１２ｂに略並行しており、固定金具７０を内枠１２の縁面１２ｂから離反する方向へ旋回することで、固定金具７０が開放姿勢となる。
【００８４】
また、図７（ａ）に示すように、固定金具７０が開放姿勢にあると、その固定金具７０のネジ７１から離反した端部は、内枠１２の外周壁４０ｂより外方へ突出している。即ち、内枠１２が外枠１１に対して閉鎖された状態では、その内枠１２の外周壁４０ｂに外枠１１の側壁１１ｄ（図４参照）が隣接するので、固定金具７０を開放姿勢に旋回することができない。よって、内枠１２が外枠１１に対して閉鎖された状態で、内枠１２と外枠１１との隙間から薄板状の部材を差し込まれたとしても、その薄板状の部材により固定金具７０が開放姿勢に旋回させることを防止できる。
【００８５】
図８に示すように、裏パック９２の裏パック係止部９２ｃは、その裏パック９２が内枠１２の裏面側に閉鎖された状態で内枠１２の凹部１２ａに嵌合される凸部９２ｄが形成されている。この凸部９２ｄと凹部１２ａにより、裏パック９２の内枠１２に対する位置決めを容易に行うことができる。
【００８６】
また、裏パック係止部９２ｃには、固定金具７０を旋回可能に取り付けるネジ７１及びナット７３を覆う空間を形成する裏パックカバー部９２ｅが形成されている。この裏パックカバー部９２ｅにより形成される空間内に、ネジ７１及びナット７３が位置し、遊技盤１６の裏面側に露出していないので、裏パック９２が遊技盤１６（図１０参照）の裏側面に対して閉鎖された状態で、ナット７３が緩められることを抑制することができる。
【００８７】
裏パック係止部９２ｃには、固定金具７０が係止姿勢となった場合に、その固定金具７０の固定係止部７０ｄと当接する裏パック当接部９２ｆが形成されている。この裏パック当接部９２ｆは、固定係止部７０ｄにより遊技盤１６方向へ押圧されるので、裏パック９２が固定金具７０により固定された状態での「がたつき」を抑制することができる。
【００８８】
裏パックカバー部９２ｅの下側には、その裏パックカバー部９２ｅと裏パック９２の側面とを連接する裏パック連接部９２ｇが形成されており、その裏パック連接部９２ｇの遊技盤１６側には裏パック凸部９２ｈが形成されている。裏パック凸部９２ｈには、その側面に形成される開口と連接部９２ｇに形成される開口とを貫通する裏パック貫通口９２ｉが形成されている。
【００８９】
図９に示すように、裏パック９２が固定金具７０により遊技盤１６の裏面側に固定された状態では、固定金具７０の固定貫通口７０ｅと裏パック９２の裏パック貫通口９２ｉとが並んで配置される。本実施形態では、固定貫通口７０ｅと裏パック貫通口９２ｉにバンド（又は紐などの結束手段）９９を挿通させて、裏パック９２と固定金具７０とを結束している。
【００９０】
よって、裏パック９２が固定金具７０により遊技盤１６の裏面側に固定された状態では、裏パック９２と固定金具７０とがバンド９９により結束されているので、裏パック９２と固定金具７０との係止状態を解除するためには、バンド９９を切断する作業が必要となる。その結果、裏パック９２を開放して、主制御装置１１０の点検や修理を行う場合の作業が増加するので、不正行為者によって主制御装置１１０を不正な主制御装置に交換されるなどの不正行為を抑制することができる。
【００９１】
また、図９に示すように、内枠１２が外枠１１に対して閉鎖された状態になると、外枠１１の外枠カバー１１ｅが裏パック９２と固定金具７０との係止部分近傍まで突出している。そのため、内枠１２が外枠１１に対して閉鎖された状態では、バンド９９を切断する作業が困難となる。よって、内枠１２が外枠１１に対して閉鎖された状態で、不正行為者によってバンド９９が切断される等の不正行為の発生を抑制することができる。
【００９２】
次に、図１０を参照して、パチンコ機１０の遊技盤１６について説明する。図１０は、パチンコ機１０の遊技盤１６の正面図である。
【００９３】
図１０に示すように、遊技盤１６は、正面視略正方形状に切削加工した木製のベース板６０に、球案内用の多数の釘や風車およびレール６１，６２、一般入賞口６３、第１入球口６４、可変入賞装置６５、可変表示装置ユニット８０等を組み付けて構成され、その周縁部が前述した内枠１２の裏面側に取り付けられる。一般入賞口６３、第１入球口６４、可変入賞装置６５、可変表示装置ユニット８０は、ルータ加工によってベース板６０に形成された貫通穴に配設され、遊技盤１６の前面側から木ネジ等により固定されている。また、遊技盤１６の前面中央部分は、前面枠１４の窓部１４ｃ（図１参照）を通じて内枠１２の前面側から視認することができる。以下に、遊技盤１６の構成について説明する。
【００９４】
遊技盤１６の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１６の前面外周が囲まれ、遊技盤１６とガラスユニット１７（図１参照）とにより前後が囲まれることにより、遊技盤１６の前面には、球の挙動により遊技が行われる遊技領域が形成される。遊技領域は、遊技盤１６の前面であって２本のレール６１，６２と可変表示ユニット８０とにより区画して形成される領域である。
【００９５】
２本のレール６１，６２は、球発射ユニット１１２ａ（図１１参照）から発射された球を遊技盤１６上部へ案内するために設けられたものである。内レール６１の先端部分（図１０の左上部）には戻り球防止部材６８が取り付けられ、一旦、遊技盤１６の上部へ案内された球が再度球案内通路内に戻ってしまうといった事態が防止される。
【００９６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４への入賞をトリガとして第３図柄を変動表示する液晶ディスプレイ（以下単に「ＬＣＤ」と略す。）で構成された第３図柄表示装置８１と、第２入球口６７の球の通過をトリガとして第２図柄を変動表示する発光ダイオード（ＬＥＤ）で構成される第２図柄表示装置８２とが設けられている。
【００９７】
第３図柄表示装置８１は、後述する表示制御装置１１４（図１１参照）によって表示内容が制御され、例えば上、中及び下の３つの図柄列が表示される。各図柄列は複数の図柄によって構成され、これらの図柄が図柄列毎に横スクロールして第３図柄表示装置８１の表示画面上にて第３図柄が可変表示されるようになっている。また、可変表示装置ユニット８０には、この第３図柄表示装置８１の外周を囲むようにして、センターフレーム８６が配設されている。本実施形態の第３図柄表示装置８１は、主制御装置１１０（図１１参照）の制御に伴った遊技状態の表示が第１図柄表示装置３７（図１１参照）で行われるのに対して、その第１図柄表示装置３７の表示に応じた装飾的な表示を行うものである。なお、ＬＣＤに代えて、例えば、リール等を用いて第３図柄表示装置８１を構成するようにしても良い。
【００９８】
また、第１図柄表示装置３７にて停止図柄（確変大当たり図柄、普通大当たり図柄、外れ図柄のいずれか１つ）が表示されるまでの間に球が第１入球口６４へ入球した場合、その入球回数は最大４回まで保留され、その保留回数は第１図柄表示装置３７により示されると共に保留ランプ８５の点灯個数においても示される。保留ランプ８５は、最大保留数分の４つ設けられ、第３図柄表示装置８１の下方に配設されている。なお、本実施形態においては、第１入球口６４への入賞は、最大４回まで保留されるように構成したが、最大保留回数は４回に限定されるものでなく、３回以下、又は、５回以上の回数（例えば、８回）に設定しても良い。また、保留ランプ８５を削除し、第１入球口６４への入賞に基づく変動表示の保留回数を第３図柄表示装置８１の一部に数字で、或いは、４つに区画された領域を保留回数分だけ異なる態様（例えば、色や点灯パターン）にして表示するようにしても良い。また、第１図柄表示装置３７により保留回数が示されるので、保留ランプ８５により点灯表示を行わないものとしても良い。
【００９９】
第２図柄表示装置８２は、第２図柄の表示部８３と保留ランプ８４とを有し、球が第２入球口６７を通過する毎に、表示部８３において表示図柄（第２図柄）としての「○」の図柄と「×」の図柄とが交互に点灯して変動表示が行われ、その変動表示が所定図柄（本実施形態においては「○」の図柄）で停止した場合に第１入球口６４が所定時間だけ作動状態となる（開放される）よう構成されている。球の第２入球口６７の通過回数は最大４回まで保留され、その保留回数が上述した第１図柄表示装置３７により表示されると共に保留ランプ８４においても点灯表示される。なお、第２図柄の変動表示は、本実施形態のように、表示部８３において複数のランプの点灯と非点灯を切り換えることにより行うものの他、第１図柄表示装置３７及び第３図柄表示装置８１の一部を使用して行うようにしても良い。同様に、保留ランプ８４の点灯を第３図柄表示装置８１の一部で行うようにしても良い。また、第２入球口６７の通過は、第１入球口６４と同様に、最大保留回数は４回に限定されるものでなく、３回以下、又は、５回以上の回数（例えば、８回）に設定しても良い。また、第１図柄表示装置３７により保留回数が示されるので、保留ランプ８４により点灯表示を行わないものとしても良い。
【０１００】
また、センターフレーム８６には、その上部分に針が回転動作する第１役物８７ａ（コンパス）と、右部分に左右方向に揺動する第２役物８７ｂ（船）と、その第２役物８７ｂに取り付けられ伸縮動作する第３役物８７ｃ（大砲）とが配設されている。これら第１〜第３役物８７ａ〜８７ｃは、後述する主制御装置１１０によって遊技状態に応じて稼働される。
【０１０１】
可変表示装置ユニット８０の下方には、球が入球し得る第１入球口６４が配設されている。この第１入球口６４へ球が入球すると遊技盤１６の裏面側に設けられる第１入球口スイッチ（図示せず）がオンとなり、その第１入球口スイッチのオンに起因して主制御装置１１０で大当たりの抽選がなされ、その抽選結果に応じた表示が第１図柄表示装置３７のＬＥＤ３７ａで示される。また、第１入球口６４は、球が入球すると５個の球が賞球として払い出される入賞口の１つにもなっている。
【０１０２】
第１入球口６４の下方には可変入賞装置６５が配設されており、その略中央部分に横長矩形状の特定入賞口（大開放口）６５ａが設けられている。パチンコ機１０においては、主制御装置１１０での抽選が大当たりとなると、所定時間（変動時間）が経過した後に、大当たりの停止図柄となるよう第１図柄表示装置３７のＬＥＤ３７ａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【０１０３】
この特定入賞口６５ａは、所定時間が経過すると閉鎖され、その閉鎖後、再度、その特定入賞口６５ａが所定時間開放される。この特定入賞口６５ａの開閉動作は、最高で例えば１６回（１６ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【０１０４】
可変入賞装置６５は、具体的には、特定入賞口６５ａを覆う横長矩形状の開閉板と、その開閉板の下辺を軸として前方側に開閉駆動するための大開放口ソレノイド（ソレノイド２０９（図４参照）の一部）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【０１０５】
なお、上記した形態に特別遊技状態は限定されるものではない。特定入賞口６５ａとは別に開閉される大開放口を遊技領域に設け、第１図柄表示装置３７において大当たりに対応したＬＥＤ３７ａが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。
【０１０６】
遊技盤１６の下側における右の隅部には、証紙や識別ラベル等を貼着するための貼着スペースＫ１が設けられ、貼着スペースＫ１に貼られた証紙等は、前面枠１４の小窓３５を通じて視認することができる。
【０１０７】
さらに、遊技盤１６には、アウト口６６と第２入球口（スルーゲート）６７とが設けられている。いずれの入賞口６３，６４，６５ａにも入球しなかった球はアウト口６６を通って図示しない球排出路へと案内される。遊技盤１６には、球の落下方向を適宜分散、調整等するために多数の釘が植設されているとともに、風車等の各種部材（役物）が配設されている。
【０１０８】
次に、図１１を参照して、本パチンコ機１０の電気的構成について説明する。図１１は、パチンコ機１０の電気的構成を示すブロック図である。
【０１０９】
主制御装置１１０には、演算装置である１チップマイコンとしてのＭＰＵ２０１が搭載されている。ＭＰＵ２０１には、該ＭＰＵ２０１により実行される各種の制御プログラム（例えば、遊技者に対して多くの賞球を付与する大当たりの抽選処理など）や固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【０１１０】
ＲＡＭ２０３は、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを備えている。ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【０１１１】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行され、電源断の発生情報がＲＡＭ２０３に記憶される。
【０１１２】
主制御装置１１０のＭＰＵ２０１には、アドレスバス及びデータバスで構成されるバスライン２０４を介して入出力ポート２０５が接続されている。入出力ポート２０５には、主制御装置１１０へ電源を供給する電源装置１１５を始め、払出制御装置１１１、音声ランプ制御装置１１３、第１図柄表示装置３７、第２図柄表示装置８２や、図示しないスイッチ群やセンサ群などからなる各種スイッチ２０８や、特定入賞口６５ａの開閉板の下辺を軸として前方側に開閉駆動するための大開放口ソレノイドや電動役物を駆動するためのソレノイドなどからなるソレノイド２０９が接続されている。
【０１１３】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを備えている。
【０１１４】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを備えている。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行され、電源断の発生情報がＲＡＭ２１３に記憶される。
【０１１５】
払出制御装置１１１のＭＰＵ２１１には、アドレスバス及びデータバスで構成されるバスライン２１４を介して入出力ポート２１５が接続されている。入出力ポート２１５には、払出制御装置１１１へ電源を供給する電源装置１１５を始め、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【０１１６】
発射制御装置１１２は、主制御装置１１０により球の発射の指示がなされた場合に、操作ハンドル５１の回転操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサにより検出し、発射を停止させるための発射停止スイッチが操作されていないことを条件に、操作ハンドル５１の回動量に対応して発射ソレノイドが励磁され、操作ハンドル５１の操作量に応じた強さで球が発射される。
【０１１７】
音声ランプ制御装置１１３は、音声出力装置（図示しないスピーカなど）２２６における音声の出力、電飾部２９〜３１や表示ランプ３２などのランプ表示装置２２７における点灯および消灯の出力、表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを備えている。
【０１１８】
音声ランプ制御装置１１３のＭＰＵ２２１には、アドレスバス及びデータバスで構成されるバスライン２２４を介して入出力ポート２２５が接続されている。入出力ポート２２５には、音声ランプ制御装置１１３へ電源を供給する電源装置１１５を始め、主制御装置１１０、表示制御装置１１４、音声出力装置２２６やランプ表示装置２２７などがそれぞれ接続されている。
【０１１９】
表示制御装置１１４は、第３図柄表示装置（ＬＣＤ）８１における第３図柄の変動表示を制御するものである。表示制御装置１１４は、ＭＰＵ２３１と、ＲＯＭ（プログラムＲＯＭ）２３２と、ワークＲＡＭ２３３と、ビデオＲＡＭ２３４と、キャラクタＲＯＭ２３５と、画像コントローラ２３６と、入力ポート２３７と、出力ポート２３８と、バスライン２３９，２４０とを備えている。
【０１２０】
入力ポート２３７の入力側には、表示制御装置１１４へ電源を供給する電源装置１１５、及び、音声ランプ制御装置１１３の出力側が接続され、入力ポート２３７の出力側には、ＭＰＵ２３１、ＲＯＭ２３２、ワークＲＡＭ２３３、画像コントローラ２３６が接続されている。
【０１２１】
画像コントローラ２３６には、ビデオＲＡＭ２３４、キャラクタＲＯＭ２３５が接続されると共に、バスライン２４０を介して出力ポート２３８が接続されている。出力ポート２３８の出力側には、第３図柄表示装置８１が接続されている。
【０１２２】
表示制御装置１１４のＭＰＵ２３１は、音声ランプ制御装置１１３から入力された図柄表示用のコマンドに基づいて、第３図柄表示装置８１の表示内容を制御する。ＲＯＭ２３２には、ＭＰＵ２３１により実行される各種の制御プログラムや固定値データが記憶されている。
【０１２３】
また、ワークＲＡＭ２３３は、図示されないフラグとして、演出許可がされているか否かを示す演出許可フラグや、変動表示を開始すべきか否かを示す変動開始フラグを有している。なお、演出許可フラグ（図示せず）は、主制御装置１１０の初期設定の処理後に送信される演出許可コマンドを音声ランプ制御装置１１３を介して受信するとオンされ、電源断の発生によりオフされる。また、変動開始フラグ（図示せず）は、主制御装置１１０から出力された変動パターンコマンドに対応するコマンドを音声ランプ制御装置１１３から受信した場合にオンされ、第３図柄表示装置８１において変動表示が開始されるとオフされる。
【０１２４】
キャラクタＲＯＭ２３５は、第３図柄表示装置８１に表示される図柄（背景図柄や装飾図柄）などのキャラクタ情報が記憶されたキャラクタ情報メモリを備えている。このキャラクタ情報メモリに記憶されているキャラクタ情報としては、変動表示される第３図柄の数字データ（例えば、０〜９）や、数字データ以外の図柄データ（例えば、魚やエビの図柄、背景図柄、予告キャラクタ図柄やキャラクタ図柄（例えば、女の子や男の子）などが記憶されている。
【０１２５】
このキャラクタ情報メモリは、記憶するデータ量を少なくするために、上記のようなキャラクタ情報を圧縮形式のデータで記憶している。なお、本実施形態では、キャラクタ情報は約１０２４Ｍバイトで構成されており、その約１０２４Ｍバイトのキャラクタ情報が、約７６８Ｍバイトに圧縮されてキャラクタ情報メモリに記憶されている。キャラクタ情報メモリに圧縮形式のデータとして記憶されているキャラクタ情報は、読み出されると、解凍された後に、ビデオＲＡＭ２３４のキャラクタ情報記憶領域に書き込まれる。
【０１２６】
ビデオＲＡＭ２３４は、第３図柄表示装置８１に表示される表示内容（変動表示の演出パターンや、リーチ演出時の演出内容など）に対応する演出データが記憶される表示用記憶領域と、キャラクタＲＯＭ２３５のキャラクタ情報メモリに記憶された圧縮形式のキャラクタ情報を解凍したデータが記憶されるキャラクタ情報記憶領域とを備えている。
【０１２７】
表示用記憶領域は、第３図柄表示装置８１に表示される演出データを記憶するためのメモリであり、その表示用記憶領域の内容を書き替えることにより、第３図柄表示装置８１の表示内容が変更される。キャラクタ情報記憶領域には、背景図柄や装飾図柄などの素材となるキャラクタデータが記憶され、このキャラクタ情報記憶領域から第３図柄表示装置８１に表示するための必要なデータが読み出されて表示用記憶領域に書き込まれる。
【０１２８】
なお、キャラクタ情報をビデオＲＡＭ２３４のキャラクタ情報記憶領域に記憶させるのは、一般的に処理速度がＲＯＭよりＲＡＭの方が高速であるためであり、キャラクタ情報をキャラクタＲＯＭ２３５から直接、表示用記憶領域に直接書き込む場合、読み出すデータ量が大きいと読み出しに時間を有しスムーズな表示ができなかったり鮮明な表示ができないからである。更に、ＲＡＭにおいて表示データの加工（例えば、装飾図柄の大きさの変更や背景図柄の色の変更）などが容易であるためである。
【０１２９】
画像コントローラ２３６は、ＭＰＵ２３１、ビデオＲＡＭ２３４、出力ポート２３８のそれぞれのタイミングを調整してデータの読み書きに介在すると共に、ビデオＲＡＭ２３４に記憶される表示データを所定のタイミングで読み出して第３図柄表示装置８１に表示させるものである。
【０１３０】
電源装置１１５は、パチンコ機１０の各部に電源を供給するための電源部２５１と、停電等による電源遮断を監視する停電監視回路２５２と、ＲＡＭ消去スイッチ１２２（図５参照）とを有するＲＡＭ消去スイッチ回路２５３とを備えている。
【０１３１】
電源部２５１は、入出力ポート２０５，２１５，２２５，２３７に接続された電源経路を通じて、制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を制御装置１１０〜１１４等に対して必要な電圧を供給する。
【０１３２】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理（図示せず）を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し、電源断の発生情報がＲＡＭ２０３及びＲＡＭ２１３に記憶して完了することができる。
【０１３３】
ＲＡＭ消去スイッチ回路２５３は、ＲＡＭ消去スイッチ１２２が押下された場合に、主制御装置１１０へ、バックアップデータをクリアさせるためのＲＡＭ消去信号ＳＧ２を出力するための回路である。主制御装置１１０及び払出制御装置１１１は、パチンコ機１０の電源投入時に、ＲＡＭ消去信号ＳＧ２を入力した場合に、それぞれのバックアップデータをクリアすると共に、払出制御装置１１１においてバックアップデータをクリアさせるための払出初期化コマンドを払出制御装置１１１に対して送信する。
【０１３４】
以上説明したように、本実施形態では、大当たりの抽選処理などを行う主制御装置１１０は遊技盤１６の裏面側に取り付けられており、その主制御装置１１０の遊技盤１６の裏面側への取付部は裏パック９２により覆われている。その裏パック９２の裏パック貫通口９２ｉと固定金具７０の固定貫通口７０ｅとは、裏パック９２が固定金具７０によって遊技盤１６の裏側面に固定された状態で並んで配置される。その結果、裏パック貫通口９２ｉと固定貫通口７０ｅとにバンド９９を挿入し、裏パック９２と固定金具７０とを結束することができる。よって、裏パック９２を開放して主制御装置１１０の修理や点検を行う場合には、バンド９９を切断するという作業が増加する。即ち、不正行為者により主制御装置１１０を不正な主制御装置に交換する不正行為を行う場合にもバンド９９を切断する作業が必要となり作業が増加するので、不正行為者による不正行為を抑制することができる。
【０１３５】
また、内枠１２が外枠１１に対して閉鎖された状態では、外枠１１の外枠カバー１１ｅが裏パック９２と固定金具７０との係止部分近傍まで突出しているので、内枠１２が外枠１１に対して閉鎖された状態でのバンド９９の切断を困難としている。さらに、施錠ユニット６０の突出片６４は、個別にスライド板６３に対して上下方向に動作可能に構成されているので、一対の突出片６４を同時に上方向へ移動させないと内枠１２を外枠１１に対して開放することができない。また、裏パック９２は、その裏パック突出部９２ｂが制御ユニット９１のユニットカバー部９１ｃに覆われた状態で遊技盤１６の裏面側に係止されるので、制御ユニット１９を開放した後でないと、遊技盤１６に対して開放することができない。また、固定金具７０は、内枠１２が外枠１１に対して閉鎖された状態では、開放姿勢への旋回が不可能に構成されている。また、基板ボックス１００は、コネクタの接続部や開封不能に連結する連結部が裏パック９２により覆われており、裏パック９２を遊技盤１６の裏面側に対して開放しないと、コネクタを外したり連結部の連結解除を行えないように構成されている。
【０１３６】
その結果、本実施形態では、主制御装置１１０を覆う裏パック９２を開放するまでの作業を増やすと共に開放の作業性を困難とし、又、内枠１２が外枠１１に対して不正な行為により開放されることを困難とし、更には、裏パック９２が閉鎖された状態での不正行為を困難としているので、主制御装置１１０が不正な主制御装置に交換される等の不正行為の発生を抑制することができる。
【０１３７】
以上、一実施形態に基づき本発明を説明したが、本発明は上記形態に何ら限定されるものではなく、本発明の趣旨を逸脱しない範囲内で種々の変形改良が可能であることは容易に推察できるものである。
【０１３８】
例えば、上記実施形態では、外枠カバー１１ｅを、内枠１２が外枠１１に対して閉鎖された状態で、裏パック９２と固定金具７０との係止部分近傍まで突出するように構成したが、裏パック９２と固定金具７０との係止部分を全て覆うように構成しても良い。また、外枠カバー１１ｅは、外枠１１の上下方向全域に亘って形成されるものとしたが、少なくとも裏パック９２と固定金具７０との係止部分近傍または係止部分の全てを覆う大きさに形成するものとしても良い。
【０１３９】
また、上記実施形態では、裏パック貫通口９２ｉの一方の開口を裏パック９２の裏面に位置するように構成したが、遊技盤１６に対向する面に開口するように構成しても良いし、裏パック９２の側面に開口するように構成しても良い。この構成では、バンド９９を切断する作業をより困難とすることができる。なお、裏パック貫通口９２ｉと固定貫通口７０ｅとが、裏パック９２が固定金具７０により遊技盤１６の裏側面に固定された状態で並んで配置される形状であれば、その大きさや位置は如何なる形状であっても構わない。
【０１４０】
本発明を上記実施形態とは異なるタイプのパチンコ機等に実施しても良い。例えば、Ｖゾーン等の特別領域を有する入賞装置を有するいわゆる第２種パチンコ遊技機などに実施しても良い。更に、パチンコ機以外にも、アレパチ、雀球など他の遊技機として実施するようにしても良い。
【０１４１】
本発明を上記実施形態とは異なるタイプのパチンコ機等に実施しても良い。例えば、一度大当たりすると、それを含めて複数回（例えば２回、３回）大当たり状態が発生するまで、大当たり期待値が高められるようなパチンコ機（通称、２回権利物、３回権利物と称される）として実施しても良い。また、大当たり図柄が表示された後に、所定の領域に球を入賞させることを必要条件として遊技者に所定の遊技価値を付与する特別遊技を発生させるパチンコ機として実施しても良い。また、Ｖゾーン等の特別領域を有する入賞装置を有し、その特別領域に球を入賞させることを必要条件として特別遊技状態となるパチンコ機に実施しても良い。更に、パチンコ機以外にも、アレパチ、雀球、スロットマシン、いわゆるパチンコ機とスロットマシンとが融合した遊技機などの各種遊技機として実施するようにしても良い。
【０１４２】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０１４３】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。
【０１４４】
以下に、本発明の遊技機および変形例を示す。
【０１４５】
外枠と、その外枠に対して開閉可能に支持される本体と、その本体の裏面側に取り付けられた本体側部材とを備えた遊技機において、前記本体側部材を覆うと共に、前記本体の裏面側に対して開閉可能に一端側が支持される第１カバー部材と、前記本体の裏面側に取り付けられ、前記第１カバー部材の他端側を係止し、前記本体の裏面側に対して前記第１カバー部材を開閉不能にする係止部材とを備え、前記第１カバー部材の他端側には、その一部を貫通するカバー側貫通口が形成され、前記係止部材には、その一部を貫通する係止側貫通口が形成され、前記本体の裏面側に対して前記第１カバー部材が前記係止部材により開閉不能に係止された状態では、前記カバー側貫通口と前記係止側貫通口とが並んで配置されることを特徴とする遊技機１。
【０１４６】
遊技機１によれば、外枠に対して本体が開閉可能に支持されており、その本体の裏面側に本体側部材が取り付けられ、その本体側部材は、本体の裏面側に対して開閉可能に一端側が支持されたカバー部材により覆われる。カバー部材は、係止部材により他端側が係止されて本体の裏面側に対して開閉不能にされる。そして、本体の裏面側に対して第１カバー部材が係止部材により開閉不能に係止された状態になると、カバー部材の一部を貫通するカバー側貫通口と、係止部材の一部を貫通する係止側貫通口とが並んで配置される。よって、第１カバー部材が係止部材により開閉不能に係止された状態でカバー側貫通口と係止側貫通口とが並んで配置されるので、例えば、紐やバンドなどをカバー側貫通口および係止側貫通口に通して第１カバー部材と係止部材とを結束することできる。
【０１４７】
ここで、不正行為者が、正規の本体側部材を不正な本体側部材に交換する不正行為を行う場合には、不正な本体側部材に交換したことをホール関係者に知られないために、不正な本体側部材に交換する作業を早期に終了させる。そのため、不正な本体側部材に交換する作業が多い又は困難なほど、不正行為者による不正行為を抑制することができる。
【０１４８】
遊技機１によれば、紐やバンドなどをカバー側貫通口および係止側貫通口に通して第１カバー部材と係止部材とを結束できるので、第１カバー部材と係止部材との係止状態を解除するためには、紐やバンドを切断する作業が必要となる。その結果、本体側部材を交換する場合の作業が増えるので、第１カバー部材により覆われた本体側部材が不正な本体側部材に交換されることを抑制することができる。
【０１４９】
遊技機１において、前記第１カバー部材の他端側は、前記本体の裏面側に開閉不能に係止された状態で前記本体の裏面の縁部に位置すると共に、前記係止部材は、前記本体の裏面の縁部に取り付けられ、前記外枠に対して前記本体が閉鎖された状態で、前記第１カバー部材の他端側および前記係止部材が位置する前記本体の裏面の縁部に対向配置され、前記外枠から内側方向に向かって突出する板状の突出部材を備えることをことを特徴とする遊技機２。
【０１５０】
遊技機２によれば、第１カバー部材の他端側は、本体の裏面側にカバー部材が開閉不能に係止された状態で本体の裏面の縁部に位置し、係止部材は、本体の裏面の縁部に取り付けられる。また、外枠から内側に向かって突出する板状に形成された突出部材は、外枠に対して本体が閉鎖された状態で第１カバー部材の他端側および係止部材が位置する本体の裏面の縁部に対向配置される。よって、第１カバー部材の他端側および係止部材に対向して突出部材が配置されるので、外枠に対して本体が閉鎖された状態では突出部材を破壊などしないと、本体に対して第１カバー部材を開放することが困難となる。従って、外枠に対して本体が閉鎖された状態での第１カバー部材の開放が困難となるので、第１カバー部材により覆われた本体側部材が不正な本体側部材に交換されることを抑制することができる。
【０１５１】
遊技機２において、前記係止部材は、前記本体の裏面の縁に略並行する姿勢であって前記本体の裏面側に対して前記第１カバー部材を開閉不能に係止する係止姿勢から、前記本体の裏面の縁から離反する方向に旋回可能に構成され、前記外枠に対して前記本体が閉鎖された状態では、前記本体の裏面の縁と前記外枠の内側面との距離が、前記係止部材の旋回する半径より短いことを特徴とする遊技機３。
【０１５２】
遊技機３によれば、係止部材は、第１カバー部材を開閉不能に係止する場合には本体の裏面の縁に略並行する係止姿勢となり、第１カバー部材を開放可能にする場合には本体の裏面側に対して係止姿勢から本体の裏面の縁から離反する方向に旋回される。また、外枠に対して本体が閉鎖された状態では、本体の裏面の縁と外枠の内側面との距離が、係止部材の旋回する半径より短くなるので、外枠に対して本体が閉鎖された状態で、第１カバー部材の係止部材による係止を解除不能にすることができる。
【０１５３】
遊技機２又は３において、前記外枠に対して前記本体が閉鎖された状態において前記外枠の突出部材に対向する位置に設けられ、前記本体を前記外枠に対して施錠する施錠手段を備え、前記施錠手段は、基体と、その基体に対してスライド動作するスライド部材と、そのスライド部材の第１方向への動作に連動して動作すると共にそのスライド部材に対して個別に前記第１方向にスライド動作する複数の突出片と、その複数の突出片と共に前記スライド部材を反第１方向へ付勢する付勢手段と、その付勢手段に反して前記スライド部材を前記第１方向へ動作させる動作手段とを有し、前記外枠の突出部材は、前記付勢手段により前記反第１方向に付勢された複数の突出片とそれぞれ係止する複数の係止部を有しており、前記施錠手段の複数の突出片が前記突出部材の係止部に係止した状態で前記外枠に対して前記本体が閉鎖されると共に、前記施錠手段の複数の突出片の全てについて前記突出部材の係止部との係止が解除された状態で前記外枠に対して前記本体が開放可能に構成されることを特徴とする遊技機４。
【０１５４】
遊技機４によれば、外枠に対して本体が閉鎖された状態において外枠の突出部材に対向する位置に施錠手段が設けられ、その施錠手段により本体が外枠に対して施錠される。施錠手段は、基体に対してスライド動作するスライド部材が付勢手段により反第１方向に付勢された状態で、スライド動作に連動して第１方向に動作する突出片と突出部材の係止部とが係止されると、外枠に対して本体を施錠する。一方、動作手段によりスライド部材が反第１方向に動作させられた状態で、複数の突出片と係止部との係止が解除されると、外枠に対する本体の施錠が解除され開放可能になる。また、複数の突出片は、スライド部材に対して個別に第１方向にスライド動作するので、１の突出片を第１方向に動作させたとしても、複数の突出片の全てが第１方向に動作することはない。
【０１５５】
例えば、外枠と本体との隙間から細板状の部材などを差し込んで、１の突出片を不正に第１方向へ移動させるなどの不正行為が行われても、複数の突出片の全てを第１方向に移動させないと本体を外枠に対して開放できないので、不正行為によって本体が外枠に対して開放されることを困難にできる。その結果、外枠に対して本体が不正に開放される行為自体を抑制できるので、第１カバー部材により覆われた本体側部材が不正な本体側部材に交換されることを抑制することができる。
【０１５６】
遊技機１から４のいずれかにおいて、前記本体の裏面側に前記係止部材により係止された第１カバー部材の一部を覆った状態で、前記本体の裏面側に取り付けられる第２カバー部材を備えていることを特徴とする遊技機５。
【０１５７】
遊技機５によれば、本体の裏面側に係止手段により係止された第１カバー部材の一部を覆った状態で、本体の裏面側に第２カバー部材が取り付けられるので、第１カバー部材を開放するためには、第２カバー部材を開放しなければならない。その結果、第１カバー部材を開放するための作業が増えるので、第１カバー部材により覆われた本体側部材が不正な本体側部材に交換されることを抑制することができる。
【０１５８】
遊技機１から５のいずれかにおいて、遊技者に有利な遊技価値を付与する特別遊技状態の抽選制御を行う制御手段と、その制御手段を被包する被包手段とを備え、前記本体側部材の１つは、前記制御手段が被包された被包手段であり、前記第１カバー部材は、前記被包手段の前記本体への取り付け部分を少なくとも覆うように構成されていることを特徴とする遊技機６。
【０１５９】
遊技機６によれば、遊技者に有利な遊技価値を付与する特別遊技状態の抽選制御を行う制御手段が被包手段により被包され、その被包手段が本体の裏面側に取り付けられる。また、本体側部材の１つは、制御手段が被包された被包手段であり、その被包手段の本体への取り付け部分が第１カバー部材により少なくとも覆われる。よって、特別遊技状態の抽選制御を行う制御手段が不正な制御手段に交換されることを抑制することができ、不正に遊技価値が付与されることを抑制することができる。
【０１６０】
また、前記第１カバー部材は、前記被包手段の前記本体への取り付け部分を少なくとも覆うように構成したが、被包手段を開封不能に連結する連結部材を少なくとも覆うように構成しても良いし、外部との間を電気的に接続する接続部材（例えばコネクタなど）を少なくとも覆うように構成しても良い。
【０１６１】
遊技機１から６のいずれかにおいて、前記遊技機はパチンコ遊技機であることを特徴とする遊技機７。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１６２】
遊技機１から６のいずれかにおいて、前記遊技機はスロットマシンであることを特徴とする遊技機８。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１６３】
遊技機１から６のいずれかにおいて、前記遊技機はパチンコ遊技機とスロットマシンとを融合させたものであることを特徴とする遊技機９。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【図面の簡単な説明】
【０１６４】
【図１】パチンコ機の外観を示した斜視図である。
【図２】外枠に対して内枠が開放された状態、及び、内枠に対して前面枠が開放された状態を示した斜視図である。
【図３】施錠ユニットを示した斜視図である。
【図４】外枠の斜視図である。
【図５】パチンコ機の背面側を示した図である。
【図６】制御基板ユニット及び裏パックユニットを分解した状態の斜視図である。
【図７】固定金具の動作変化を示した斜視図であり、（ａ）は、固定金具が開放された状態を示しており、（ｂ）は、固定金具が閉鎖された状態を示している。
【図８】裏パックの裏パック係止部を拡大して示した斜視図である。
【図９】裏パックが固定金具により係止された状態を示した斜視図である。
【図１０】パチンコ機の遊技盤の正面図である。
【図１１】パチンコ機の電気的構成を示すブロック図である。
【符号の説明】
【０１６５】
１０              パチンコ機（遊技機）
１１              外枠
１１ｅ            外枠カバー（突出部材）
１１ｆ            外枠係止部（係止部）
１２              内枠（本体の一部）
１２ｂ            側面（本体の裏面の縁部の一部）
６０              施錠ユニット（施錠手段の一部）
６１              基体
６２              シリンダ錠（動作手段の一部）
６２ａ            可動片（動作手段の一部）
６３              スライド板（スライド部材）
６４              突出片
６６              バネ（付勢手段）
７０              固定金具（係止部材）
７０ｅ            固定貫通口（係止側貫通口）
９１              制御ユニット（第２カバーの一部）
９１ｃ            ユニットカバー部（第２カバーの一部）
９２              裏パック（第１カバー部材）
９２ｃ            裏パック係止部（第１カバー部材の他端側の一部）
９２ｉ            裏パック貫通口（カバー側貫通口）
１３              前面枠（本体の一部）
１００            基板ボックス（被包手段）
１１０            主制御装置（本体側部材の１つ、制御手段）
【図１】
0005309522.tif 000002
【図２】
0005309522.tif 000003
【図３】
0005309522.tif 000004
【図４】
0005309522.tif 000005
【図５】
0005309522.tif 000006
【図６】
0005309522.tif 000007
【図７】
0005309522.tif 000008
【図８】
0005309522.tif 000009
【図９】
0005309522.tif 000010
【図１０】
0005309522.tif 000011
【図１１】
0005309522.tif 000012